(57)【要約】【課題】本考案は、受信角度が広く、信号の受信効率と安定性が高く、防水効果も兼ね備えた室外用マルチバンド受信装置を提供する。【解決手段】底ケースと、反射ケースと、受信板と、密封蓋とによって構成する。底ケースは中空の容器であり、底ケースの底端は固定台座を形成する。また、底ケースの側面には同軸ケーブルのコネクタが設けられる。底ケースの中空の内部には、反射ケースが設けられる。反射ケースは、折り曲げた反射板で溝形状を形成してなる。反射ケースには受信板が設けられ、受信板は、その頂端から両側に向かって弓形状を形成する。受信板の底端には導波器が連結され、導波器は、同軸ケーブルによって底ケースのコネクタに連結される。また、底ケースの上端には、底ケースを密閉する密封蓋が設けられ、底ケースと密封蓋の間には、密閉部材が設けられ、コネクタには防水カバーが設けられる。【選択図】図２
0003161372.tif 000002
【実用新案登録請求の範囲】
【請求項１】
底ケースと、反射ケースと、受信板と、密封蓋とによって構成する室外用マルチバンド受信装置において、
反射ケースは、折り曲げた反射板で溝形状を形成してなるとともに、底ケースに結合され、反射ケース内には受信板が設けられ、
受信板は、プレート状を呈するとともに、その頂端の中央部分から両側に向かって弓形状を形成し、受信板の上端面には開孔が設けられ、受信板の底端には導波器が連結され、導波器は、同軸ケーブルによって制御板に連結され、制御板の端子は、底ケースのコネクタに結合され、密封蓋は、上端から底ケースを密閉することを特徴とする、室外用マルチバンド受信装置。
【請求項２】
該受信板は、平面状或いは任意の形状であることを特徴とする、請求項１に記載の室外用マルチバンド受信装置。
【請求項３】
防水のために、該底ケースと該密封蓋の間には密閉部材が設けられ、該底ケースのコネクタには防水カバーが設けられることを特徴とする、請求項１に記載の室外用マルチバンド受信装置。
【請求項４】
該底ケース底端は、壁掛け固定部材の両側の係合溝に係合されることを特徴とする、請求項１に記載の室外用マルチバンド受信装置。
【考案の詳細な説明】
【技術分野】
【０００１】
本考案は室外用マルチバンド受信装置に関し、特に、受信角度が広く、信号の受信効率と安定性が高く、防水効果も兼ね備えた室外用マルチバンド受信装置に関する。
【背景技術】
【０００２】
図１に示すように、従来の室内アンテナの構造は電気回路板１を備える。電気回路板１の中央の部分は回路領域１１であり、その両側には受信板１１１が設けられている。また、受信板１１１と回路領域１１の回路は、電気回路板１上に同時に印刷される。受信板１１１によってＵＨＦの信号やＶＨＦの信号を受信する際は、回路領域１１に接続された銅線１１２によって受信を行い、装置全体の構造は非常にシンプルである。しかしながら、従来の電気回路板１のサイズは小さくないものの、実際の回路領域１１は、中央の小さい領域にすぎず、同時に印刷される両側の受信板１１１が大部分の空間を占める。電気回路板の印刷は、サイズによって値段が計算されるため、製造コストがたくさんかかる。また、室内アンテナ裝置は、建築の構造やその他の要素により受信の死角が生じやすく、受信状態が悪くなったり、干渉を受けたりする問題が発生する。
【０００３】
このような欠点は、室外アンテナを使用することにより解決する。これは、山間地区や受信状態がよくない地域でも、優れた受信効果を発揮する。しかしながら、従来の室外アンテナは、受信角度を正確に配置させないと受信効果が悪くなる。しかも、太陽や雨に直接晒されるため故障しやすく、さらには、雨や風が強い時に受信の品質に大きな影響がでるという欠点がある。
【考案の概要】
【考案が解決しようとする課題】
【０００４】
そこで、本考案は、受信角度が広く、信号の受信効率と安定性が高く、防水効果も兼ね備えた室外用マルチバンド受信装置を提供することを目的とする。
【課題を解決するための手段】
【０００５】
本考案による室外用マルチバンド受信装置は、底ケースと、反射ケースと、受信板と、密封蓋とによって構成する。底ケースは中空の容器であり、底ケースの底端は固定台座を形成し、竹ざお或いはその他の固定物に螺合することができる。また、底ケースの側面には同軸ケーブルのコネクタが設けられる。底ケースの中空の内部には、反射ケースが設けられる。反射ケースは、折り曲げた反射板で溝形状を形成してなる。反射ケースには受信板が設けられ、受信板は、その頂端から両側に向かって弓形状を形成する。受信板の底端には導波器が連結され、導波器は、同軸ケーブルによって底ケースのコネクタに連結される。また、底ケースの上端には、底ケースを密閉する密封蓋が設けられ、底ケースと密封蓋の間には、密閉部材が設けられ、コネクタには防水カバーが設けられる。
【考案の効果】
【０００６】
本考案に設けられた密閉部材と防水カバーにより、防水効果を有するとともに、反射ケースと弓形状の受信板により、受信角度が広く、且つ信号の受信効率と安定性が高くなる効果がある。
【図面の簡単な説明】
【０００７】
【図１】従来の室内アンテナの回路基板の構造を示した説明図である。
【図２】本考案の外観を示した斜視図である。
【図３】本考案の構造を示した分解斜視図である。
【図４】本考案の反射ケースの外観を示した斜視図である。
【図５】本考案の受信板の外観を示した斜視図である。
【図６】本考案の受信板と反射ケースを結合させた状態を示した説明図である。
【図７】本考案の壁掛け固定部材の外観を示した斜視図である。
【考案を実施するための形態】
【０００８】
図２は、本考案の外観を示した斜視図である。本考案は、扁平な容器状を呈するとともに、底ケース２と、密封蓋３とによって構成する。底ケース２の底端は固定台座２１を形成し、固定台座２１によって、本考案を竹ざお或いはその他の固定物に螺合することができる（この部分は従来技術に関するものであるため、ここでは記載を省略する）。密封蓋３は、上端から底ケース２を密閉し、底ケース２の側面にはコネクタ２２が設けられる。また、コネクタ２２に防水カバー２３を被せることにより（図示せず）、防水効果を達成することができる。
【０００９】
次に、本考案の内部の構造について説明する。図３は、本考案の構造を示した分解斜視図である。本考案では、底ケース２と密封蓋３の間に反射ケース４と受信板４０が設けられる。底ケース２は中空の容器であり、底ケース２の上端は、反射ケース４を収容するための収容溝２０を形成し、収容溝２０の底端は、底ケース２の強度を強化するための複数の線状凸部２００を形成する。また、反射ケース４は、底ケース２の形状に合わせられた溝形状であり、その周囲は、折り曲げた反射板４１で囲んでなる。受信板４０はプレート状であり、頂端の中央部分から両側に向かって弓形状４０３を形成する。受信板４０は反射ケース４内に配置され、受信板４０の底端には、導波器４３が連結され、受信板４０の上端には密封蓋３が設けられ、密封蓋３で底ケース２の蓋をする際、さらに密閉部材３０を取り付けることにより、本考案を確実に密閉することができる。
【００１０】
次に、反射ケース４の構造について説明する。図４は、本考案の反射ケースの外観を示した斜視図である、反射ケース４の周囲及び底端は、反射プレート４１を折り曲げて溝形状にしてなる。反射ケース４の底端には複数の溝孔４１０が設けられており、底ケース２に取りつける時に底ケース２と貼り合わせて位置決めすることができるとともに、反射ケース４は、線状凸部２００上に配置され、底ケース２と距離が保たれる（図３も併せて参照する）。また、反射ケース４の側面には通孔４１１が設けられる。なお、反射ケース４は、周囲の反射プレート４１によって、信号を反射させて集める機能をもつ。次に、受信板４０の構造について説明する。図５は、本考案の受信板の外観を示した斜視図である、受信板４０は扁平なプレート形状であり、その上端には開孔４０２を有し、それにより、空気を媒介にすることで、受信時の信号の損失を防ぐことができる。受信板４０は、頂端の中央部分から両側に向かって弓形状４０３を形成し、信号を受信する際の効率と安定性を高める。導波器４３は、その一端を受信板４０の中央の底端に連結し、その他端を同軸ケーブル４３０によって制御板４４に連結する。制御板４４には端子４４０が設けられ、底ケース２のコネクタ２２（図示せず）に連結することができる。
【００１１】
次に、受信板４０と反射ケース４を結合させた時の構造を説明する。図６は、本考案の受信板と反射ケースを結合させた状態を示した説明図である。受信板４０を反射ケース４内に結合させる際、導波器４３が取り付けられた受信板４０は、同軸ケーブル４３０によって制御板４４に連結され、制御板４４は、反射ケース４の側面の通孔４１１に固定され、端子４４０は通孔４１１を貫通してコネクタ２２（図示せず）に連結され、さらに同軸ケーブルによってテレビのアンテナ端子に接続される。
【００１２】
本考案を使用する際、図３に示すように、受信板４０の導波器４３によって信号を受信することができ、扁平なプレート状の受信板４０と、反射ケース４の周囲の反射板４１とによって、受信角度（範囲）を更に広くするとともに、信号を反射させて集めることができ、安定性が増す。特に、受信板４０は、その頂端の中央部分から両側に向かって弓形状４０３を形成しているため、その受信角度を広くすることができ、ＵＨＦ信号を受信する際の効率を高めることができる。また、受信板４０と反射ケース４を組み合わせることにより、信号の受信の効率と安定性を強化することができるだけでなく、底ケース２と密封蓋３を連結させた時、密閉部材３０を取り付けることにより、本考案を密閉することができ、防水の効果を達成する。防水機能により、信号の受信に影響を与えないだけでなく、アンテナが故障するのを防ぐこともできる。
【００１３】
また、本考案は、底ケース２の底端に設けられた固定台座２１によって、竹ざお或いはその他の固定物に螺合させることができる以外に、図７に示すように、壁掛け固定部材５を設けることにより、本考案を壁の適切な位置に螺合することができる。壁掛け固定部材５の両側は係合溝５１を形成し、底ケースを係合溝５１内に係合させ位置決めさせることができる（図示せず）。以上のように、本考案は、状況に応じて、固定台座２１或いは壁掛け固定部材５を選択することができ、極めて実用的であり利便性が高い。
【符号の説明】
【００１４】
１      電気回路板                                
１１    回路領域              
１１１  受信板                            
１１２  銅線                  
２      底ケース                  
２０    収容溝        
２１    固定台座              
２２    コネクタ            
３      密封蓋            
３０    密閉部材          
４      反射ケース                    
４０    受信板            
４１    反射板                  
４０３  弓形状                  
４０２  開孔                      
４１０  溝孔                  
４１１  通孔              
４３    導波器            
４３０  同軸ケーブル                  
４４    制御板        
５      壁掛け固定部材                          
５１    係合溝                  
２００  線状凸部  
【図１】
0003161372.tif 000003
【図２】
0003161372.tif 000004
【図３】
0003161372.tif 000005
【図４】
0003161372.tif 000006
【図５】
0003161372.tif 000007
【図６】
0003161372.tif 000008
【図７】
0003161372.tif 000009